(57)【要約】【課題】配線する管路の長さを正確に確認して、挿通する線材の長さに無駄がないようにした。【解決手段】建築物の壁面、天井面、床面等に埋設状に設けてある配線用の管路９１の開口一端部９２ら開口他端部９３にまで、途中に目盛を表示した屈曲可能なスチール材１１を挿通して前記管路９１の全長を測定し、前記スチール材１１により測定された管路長に対して無駄にならない長さに切断した線材２１の一端部を前記スチール材の先端部に止着し、前記スチール材１１の他端部を引き出して前記管路９１から引き抜きながら、一端部に止着した前記線材２１を管路内に順次挿通させ、スチール材の全長を管路から引き出すことにより、管路の開口する両端部において線材の端部を延在させるようにした。【選択図】　図２
2004064816.tif 000002
【特許請求の範囲】
【請求項１】
建築物の壁面、天井面、床面等に埋設状に設けてある配線用の管路の開口一端部から開口他端部にまで、途中に目盛を表示した屈曲可能なスチール材を挿通して前記管路の全長を測定し、前記スチール材により測定された管路長に対して無駄にならない長さに切断した線材の一端部を前記スチール材の先端部に止着し、前記スチール材の他端部を引き出して前記管路から引き抜きながら、一端部に止着した前記線材を管路内に順次挿通させ、スチール材の全長を管路から引き出すことにより、管路の開口する両端部において線材の端部を延在させるようにしたことを特徴とする建築物における管路の配線方法。
【発明の詳細な説明】
【０００１】
【発明の属する技術分野】
本発明は、建築物の壁面、天井面、床面等に埋設状に設けてある配線用の管路にスチール材を介して電線、電話線などの線材を配線するようにしたことを特徴とする建築物における管路の配線方法に関するものである。
【０００２】
【従来の技術】
一般住宅、マンション、オフィス用のビル、大規模若しくは小規模の宿泊施設用建物、その他の建築物においては、仕切り壁等で区切られている各種の部屋、廊下、階段スペース等の室内空間毎に、照明具、スイッチ類、コンセント、配電盤等の複数の電気用器具、及び電話機、ファックス機等の通信用器具等を設置する必要がある。そして前記電気用、若しくは通信用の器具を相互に、或いは電源に接続するには、例えば特開平５−１３０７２４号公報に記載されているように、壁裏、天井裏、床下等に管路を埋設状に設置し、この管路内に電線や電話線を挿通して開口端部に設置されている電気用器具、通信用器具にそれぞれ接続している。そして、従来では、室内の壁、床、天井などに埋設状に設けた前記管路に、開口一端部から他端部にまで屈曲可能なスチール材を挿通し、管路の長さを概略で把握して線材を長めに切断し、管路に通して端部を電気用器具や通信用器具に接続するようにしている。
【０００３】
【発明が解決しようとする課題】
しかし、管路の長さを概略で把握して線材を長目に切断するために、ほとんどの場合は長すぎて端部の一部が無駄になり、廃棄することになる。また、仮に管路の長さより線材を短く切断すると、その管路にその線材を利用できないので無駄になることがある。
【０００４】
さらに、配線工事に際しては、例えば電線は３００メートル巻きのリールであって重量があるので、建築作業の基礎となる建築物の１階の玄関とか、屋外に設置してある。そして、上方階の室内空間で配線作業をする場合、管路の概略長さを予想してから１階のリールの位置まで上下移動する必要があるので、著しく労力と時間とを要することになる。特に、一つの室内空間に多数の電気用器具を設けてあって多数本の管路が埋設してあると、管路毎の長さを予測してリールの位置まで往復動することになり、著しい作業時間や労力を要する。また、建築物の規模が大きくて室内空間が多いと、配線作業だけでもきわめて面倒である。
したがって、本発明は、管路の長さを正確に測定して線材に無駄が発生するのを防止し、しかもきわめて簡単に管路の内部に配線するようにしたことを目的とする。
【０００５】
【課題を解決するための手段】
前記目的達成のため、本願の特許請求の範囲に記載の発明は、建築物の壁面、天井面、床面等に埋設状に設けてある配線用の管路の開口一端部から開口他端部にまで、途中に目盛を表示した屈曲可能なスチール材を挿通して前記管路の全長を測定し、前記スチール材により測定された管路長に対して無駄にならない長さに切断した線材の一端部を前記スチール材の先端部に止着し、前記スチール材の他端部を引き出して前記管路から引き抜きながら、一端部に止着した前記線材を管路内に順次挿通させ、スチール材の全長を管路から引き出すことにより、管路の開口する両端部において線材の端部を延在させるようにしたことを特徴とするものである。
【０００６】
【発明の実施の形態】
以下に本発明を図面に示す実施の態様に基づいて説明する。
図１は本発明の方法を実施するための概略説明図、図２は本発明を実施している一例の概略図、図３は本発明の方法を実施するのに使用するスチール材の途中を切断した正面図である。
【０００７】
一般の建築物の内部には、居住用、廊下用、階段用、水回り用などの室内空間１を複数設けてあり、この室内空間１は床面２、壁面３および天井面４で囲まれている。そして、前記床面２、壁面３および天井面４には、図１で示すように、必要位置に配電盤５、コンセント６、照明具７、スイッチ８などを設けてあり、これらの電気用器具を、床下、壁内面や天井裏などに配設した管路９により連結してある。
【０００８】
前記管路９は、蛇腹状である程度の強度を有する屈曲可能な合成樹脂、若しくは金属のパイプ材によって成形されているので、配線系路が直角に屈曲していても自由に埋設することができる。
【０００９】
本発明によれば、例えば図２で示すように、壁面３に埋設状に設けた配電盤用ボックス５１と、天井面に設けた照明具用ボックス７１との間に、壁の内側と天井裏とにわたって埋設させた管路９１を連結して設け、前記管路９１の一方の開口端部９２を前記配電盤用ボックス５１に開口させるとともに、他方の開口端部９３を前記照明具用ボックス７１に開口させる。
【００１０】
そして、前記管路９１の一方の開口端部９２からスチール材１１を押し込んで（図２の実線矢印）他方の開口端部９３にまで導き、管路９１の全長にまで挿通する。
【００１１】
前記スチール材１１は、複数本の細いグラスファイバーを捩ってなるもので、３０メートル又は５０メートル程度の長さで屈曲自在である。そして本発明で使用するスチール材１１は、図３で示すように両端部にループ状の係止部１２を設けるとともに、全長に目盛１３を表示した構成である。
【００１２】
前記した目盛１３は、スチール材１１の表面に印刷等により表示してもよいが、例えば１０センチ毎に色彩の異なったビニールテープを細く裁断し、この細片を巻き付けて形成してもよい。例えば、１０センチ間隔では白色のビニールテープを細く裁断して巻き付け、５０センチ間隔では赤色のビニールテープを細く裁断して巻き付け、１メートル間隔では青色のビニールテープを細く裁断して巻き付け、１０メートル間隔では黄色のビニールテープを細く裁断して巻き付けるようにする。
【００１３】
このようにしてスチール材１１の表面に目盛１３を設けておくと、図２で示すように、管路９１の配電盤用ボックス５１側の一端部９２から、照明具用ボックス７１側の他端部９３にまでスチール材１１を挿通した時点で、管路９１の全長を前記目盛１３によって正確に測定することができる。
【００１４】
したがって、測定した管路９１の長さに対して、僅かに長くて配線作業により無駄にならない長さに切断した線材２１の一端部を、前記他端部９３から延長する前記スチール材１１の一方の端部の係止部１２に結束したり止着した後、管路９１の一端部９２から延長しているスチール材１１を引き出すと（図２の鎖線矢印）、管路９１の内部のスチール材１１が線材２１に置換するので、線材２１の各端部は配電盤用ボックス５１、および照明具用ボックス７１の各内部に延在することになる。
【００１５】
前記した各ボックスの内部に延在する線材の端部を電気用器具に接続すると、両電気用器具が接続されることになり、きわめて確実に、線材の無駄がなく、しかも簡単に配線作業をすることができる。
【００１６】
なお、建築作業においては前記管路９１を設置してから床面、壁面および天井面をコンクリートなとにより施工作業するのであるが、その施工作業時において管路９１が衝撃、荷重などにより潰れて閉塞すると、閉塞位置以上にスチール材１１を挿通することができないし、目盛１３によって管路の端部から閉塞位置までの長さを正確に測定することができる。したがって、閉塞位置の壁面などを崩壊して閉塞する管路を補修してから、スチール材を通して配線作業をすれば、無駄な位置を崩壊する必要がなくなる。
【００１７】
以上本発明を図面に示す実施例に基づいて説明したが、本発明は前記実施例に限定されるものではなく、特許請求の範囲の構成を変更しない限りどのようにでも実施することができる。例えば、目盛１３はどのようにして形成してもよいし、スチール材１１の端部の係止部１２もどのような構成でもよい。また、電気用器具としては前述の配電盤、照明具、スイッチ、コンセントに限らず、管路によって配線する必要がある全てのものを含む。また、通信用器具についても全く同様に利用することができるし、隣接する室内空間に設置してある器具を管路で連結してあれば、その管路についても当然に実施することができる。
【００１８】
【発明の効果】
以上要するに、本発明は、建築物の壁面、天井面、床面等に埋設状に設けてある配線用の管路の開口一端部から開口他端部にまで、途中に目盛を表示した屈曲可能なスチール材を挿通して前記管路の全長を測定し、前記スチール材により測定された管路長に対して無駄にならない長さに切断した線材の一端部を前記スチール材の先端部に止着し、前記スチール材の他端部を引き出して前記管路から引き抜きながら、一端部に止着した前記線材を管路内に順次挿通させ、スチール材の全長を管路から引き出すことにより、管路の開口する両端部において線材の端部を延在させるようにしたことを特徴とする。
【００１９】
したがって、管路の全長を正確に、簡単に確認することができるので、切断する線材の長さを正確に設定することができ、配線作業において無駄がなくなる。しかも、複数本の管路をそれぞれに挿通するスチール材で長さを確認すれば、各管路のそれぞれの長さを確認することができるので、電線リールの位置で複数の管路の長さに対応する長さの電線を切断するだけで、管路毎に電気器具とリールの位置まで往復して線材を切断する必要がなくなり、配線作業の効率を著しく高めることができる。
さらに、スチール材が管路の途中において挿通できなくなると、その位置で管路が閉塞していることになり、管路の閉塞位置をきわめて簡単に確認することができて補修が容易になるなど、実用的価値の高いものとなる。
【図面の簡単な説明】
【図１】本発明の方法を実施するための概略説明図である。
【図２】本発明を実施している一例の概略図である。
【図３】本発明の方法を実施するのに使用するスチール材の途中を切断した正面図である。
【符号の説明】
１　室内空間
２　床面
３　壁面
４　天井面
５　配電盤
６　コンセント
７　照明具
８　スイッチ
９　管路
１１　スチール材
１２　係止部
１３　目盛
２１　線材
５１　配電盤用ボックス
７１　照明具用ボックス
９１　管路
９２　開口一端部
９３　開口他端部
【図１】
2004064816.tif 000003
【図２】
2004064816.tif 000004
【図３】
2004064816.tif 000005